(57)【特許請求の範囲】
【請求項１】
データ送信方法であって、
変調符号化方式レベルを、基地局によって、決定するステップと、
時間周波数リソースを、前記基地局によって、決定し、前記時間周波数リソースに従って物理リソースブロック対の数を決定するステップと、
第1のトランスポートブロックサイズテーブルおよび第2のトランスポートブロックサイズテーブルから1つのトランスポートブロックサイズテーブルを、前記基地局によって、選択し、前記選択された第1のトランスポートブロックサイズテーブル内の対応するトランスポートブロックサイズ(TBS)、または前記選択された第2のトランスポートブロックサイズを前記変調符号化方式レベルおよび物理リソースブロック対の前記数に従って決定するステップであって、前記第2のトランスポートブロックサイズテーブル内のTBSはどれも、前記第1のトランスポートブロックサイズテーブル内の対応する位置にあるTBSよりも小さくない、ステップと、
前記決定されたTBSを使用することによってサービスデータをユーザ機器に、前記基地局によって、送信するステップと、
システムスケジューリング制御信号を前記ユーザ機器に、前記基地局によって、送信するステップであって、前記システムスケジューリング制御信号は、前記変調符号化方式レベルおよび前記時間周波数リソースを含む、ステップとを含む、方法。
【請求項２】
第1のトランスポートブロックサイズテーブルおよび第2のトランスポートブロックサイズテーブルから1つのトランスポートブロックサイズテーブルを、前記基地局によって、選択する前記ステップは、
システム構成パラメータまたはシステムオーバーヘッドに従って、前記第1のトランスポートブロックサイズテーブルおよび前記第2のトランスポートブロックサイズから1つのトランスポートブロックサイズテーブルを、前記基地局によって、選択するステップを含む請求項1に記載の方法。
【請求項３】
前記方法は、
上位レイヤシグナリングメッセージを前記ユーザ機器に、前記基地局によって、送信するステップであって、前記上位レイヤシグナリングメッセージは、前記第1のトランスポートブロックサイズテーブルまたは前記第2のトランスポートブロックサイズテーブルを選択することを前記ユーザ機器に命令する命令情報を搬送する、ステップ、または
ダウンリンク制御メッセージを前記ユーザ機器に、前記基地局によって、送信するステップであって、前記ダウンリンク制御メッセージは、前記第1のトランスポートブロックサイズテーブルまたは前記第2のトランスポートブロックサイズテーブルの選択を命令する命令情報を搬送する、ステップをさらに含む請求項1または2に記載の方法。
【請求項４】
前記第1のトランスポートブロックサイズテーブルは、LTE REL.8システムにおけるレイヤ1データ・トランスポート・ブロック・サイズ・テーブルを含み、
前記第2のトランスポートブロックサイズテーブル内のすべてのTBSは、前記第1のトランスポートブロックサイズテーブル内のTBSに含まれ、
前記第2のトランスポートブロックサイズテーブル内のTBSはどれも、ターゲット符号化速度に最も近い符号化速度に対応する、前記第1のトランスポートブロックサイズテーブル内のTBSであるか、または
前記第1のトランスポートブロックサイズテーブルは、LTE REL.8システムにおけるレイヤ1データ・トランスポート・ブロック・サイズ・テーブルを含み、
前記第2のトランスポートブロックサイズテーブル内のいくつかのTBSは、前記第1のトランスポートブロックサイズテーブル内のTBSに含まれ、前記第2のトランスポートブロックサイズテーブル内のいくつかのTBSは、設定されたレイヤ2データ・トランスポート・ブロック・サイズ・テーブルに含まれ、
前記第2のトランスポートブロックサイズテーブル内のTBSはどれも、ターゲット符号化速度に最も近い符号化速度に対応する、第1のトランスポートブロックサイズおよび前記設定されたレイヤ2データ・トランスポート・ブロック・サイズ・テーブル内のTBSである請求項1から3のいずれか一項に記載の方法。
【請求項５】
データ送信方法であって、
システムスケジューリング制御信号を基地局から、ユーザ機器によって、受信するステップであって、前記システムスケジューリング制御信号は、変調符号化方式レベルおよび時間周波数リソースを含む、ステップと、
第1のトランスポートブロックサイズテーブルおよび第2のトランスポートブロックサイズテーブルから1つのトランスポートブロックサイズテーブルを、前記ユーザ機器によって、選択し、前記選択された第1のトランスポートブロックサイズテーブル内の対応するトランスポートブロックサイズTBS、または前記選択された第2のトランスポートブロックサイズを前記変調符号化方式レベルおよび物理リソースブロック対の数に従って決定するステップであって、前記第2のトランスポートブロックサイズテーブル内のTBSはどれも、前記第1のトランスポートブロックサイズテーブル内の対応する位置にあるTBSよりも小さくない、ステップと、
前記決定されたTBSを使用することによってサービスデータを前記基地局から、前記ユーザ機器によって、受信するステップとを含む、方法。
【請求項６】
第1のトランスポートブロックサイズテーブルおよび第2のトランスポートブロックサイズテーブルから1つのトランスポートブロックサイズテーブルを、前記ユーザ機器によって、選択する前記ステップは、
システム構成パラメータまたはシステムオーバーヘッドに従って、前記第1のトランスポートブロックサイズテーブルおよび前記第2のトランスポートブロックサイズから1つのトランスポートブロックサイズテーブルを、前記ユーザ機器によって、選択するステップを含む請求項5に記載の方法。
【請求項７】
第1のトランスポートブロックサイズテーブルおよび第2のトランスポートブロックサイズテーブルから1つのトランスポートブロックサイズテーブルを、前記ユーザ機器によって、選択する前記ステップの前に、
上位レイヤシグナリングメッセージを前記基地局から、前記ユーザ機器によって、受信するステップであって、前記上位レイヤシグナリングメッセージは、前記第1のトランスポートブロックサイズテーブルまたは前記第2のトランスポートブロックサイズテーブルの選択を命令する命令情報を搬送する、ステップ、または
ダウンリンク制御メッセージを前記基地局から、前記ユーザ機器によって、受信するステップであって、前記ダウンリンク制御メッセージは、前記第1のトランスポートブロックサイズテーブルまたは前記第2のトランスポートブロックサイズテーブルの選択を命令する命令情報を搬送する、ステップ
をさらに含む請求項5または6に記載の方法。
【請求項８】
前記第1のトランスポートブロックサイズテーブルは、LTE REL.8システムにおけるレイヤ1データ・トランスポート・ブロック・サイズ・テーブルを含み、
前記第2のトランスポートブロックサイズテーブル内のすべてのTBSは、前記第1のトランスポートブロックサイズテーブル内のTBSに含まれ、
前記第2のトランスポートブロックサイズテーブル内のTBSはどれも、ターゲット符号化速度に最も近い符号化速度に対応する、前記第1のトランスポートブロックサイズテーブル内のTBSであるか、または
前記第1のトランスポートブロックサイズテーブルは、LTE REL.8システムにおけるレイヤ1データ・トランスポート・ブロック・サイズ・テーブルを含み、
前記第2のトランスポートブロックサイズテーブル内のいくつかのTBSは、前記第1のトランスポートブロックサイズテーブル内のTBSに含まれ、前記第2のトランスポートブロックサイズテーブル内のいくつかのTBSは、設定されたレイヤ2データ・トランスポート・ブロック・サイズ・テーブルに含まれ、
前記第2のトランスポートブロックサイズテーブル内のTBSはどれも、ターゲット符号化速度に最も近い符号化速度に対応する、第1のトランスポートブロックサイズおよび前記設定されたレイヤ2データ・トランスポート・ブロック・サイズ・テーブル内のTBSである請求項5から7のいずれか一項に記載の方法。
【請求項９】
変調符号化方式レベルを決定し、時間周波数リソースを決定し、前記時間周波数リソースに従って物理リソースブロック対の数を決定するように構成され、第1のトランスポートブロックサイズテーブルおよび第2のトランスポートブロックサイズテーブルから1つのトランスポートブロックサイズテーブルを選択し、前記選択された第1のトランスポートブロックサイズテーブルまたは前記選択された第2のトランスポートブロックサイズテーブル内の対応するトランスポートブロックサイズTBSを前記変調符号化方式レベルおよび物理リソースブロック対の前記数に従って決定するようにさらに構成されたプロセッサであって、前記第2のトランスポートブロックサイズテーブル内のTBSはどれも、前記第1のトランスポートブロックサイズテーブル内の対応する位置にあるTBSよりも小さくない、プロセッサと、
前記決定されたTBSを使用することによってサービスデータをユーザ機器に送信するように構成され、システムスケジューリング制御信号を前記ユーザ機器に送信するようにさらに構成された送信機であって、前記システムスケジューリング制御信号は、前記変調符号化方式レベルおよび前記時間周波数リソースを含む、送信機とを備える、基地局。
【請求項１０】
前記プロセッサは、システム構成パラメータまたはシステムオーバーヘッドに従って、第1のトランスポートブロックサイズテーブルおよび第2のトランスポートブロックサイズから1つのトランスポートブロックサイズテーブルを選択するようにさらに構成される請求項9に記載の基地局。
【請求項１１】
前記送信機は、上位レイヤシグナリングメッセージを前記ユーザ機器に送信するようにさらに構成され、前記上位レイヤシグナリングメッセージは、前記第1のトランスポートブロックサイズテーブルまたは前記第2のトランスポートブロックサイズテーブルの選択を命令する命令情報を搬送する、または
前記送信機は、ダウンリンク制御メッセージを前記ユーザ機器に送信するようにさらに構成され、前記ダウンリンク制御メッセージは、前記第1のトランスポートブロックサイズテーブルまたは前記第2のトランスポートブロックサイズテーブルの選択を命令する命令情報を搬送する請求項9または10に記載の基地局。
【請求項１２】
前記第1のトランスポートブロックサイズテーブルは、LTE REL.8システムにおけるレイヤ1データ・トランスポート・ブロック・サイズ・テーブルを含み、
前記第2のトランスポートブロックサイズテーブル内のすべてのTBSは、前記第1のトランスポートブロックサイズテーブル内のTBSに含まれ、
前記第2のトランスポートブロックサイズテーブル内のTBSはどれも、ターゲット符号化速度に最も近い符号化速度に対応する、前記第1のトランスポートブロックサイズテーブル内のTBSであるか、または
前記第1のトランスポートブロックサイズテーブルは、LTE REL.8システムにおけるレイヤ1データ・トランスポート・ブロック・サイズ・テーブルを含み、
前記第2のトランスポートブロックサイズテーブル内のいくつかのTBSは、前記第1のトランスポートブロックサイズテーブル内のTBSに含まれ、前記第2のトランスポートブロックサイズテーブル内のいくつかのTBSは、設定されたレイヤ2データ・トランスポート・ブロック・サイズ・テーブルに含まれ、
前記第2のトランスポートブロックサイズテーブル内のTBSはどれも、ターゲット符号化速度に最も近い符号化速度に対応する、第1のトランスポートブロックサイズおよび前記設定されたレイヤ2データ・トランスポート・ブロック・サイズ・テーブル内のTBSである請求項9から11のいずれか一項に記載の基地局。
【請求項１３】
システムスケジューリング制御信号を基地局から受信するように構成された受信機であって、前記システムスケジューリング制御信号は、変調符号化方式レベルおよび時間周波数リソースを含む、受信機と、
第1のトランスポートブロックサイズテーブルおよび第2のトランスポートブロックサイズテーブルから1つのトランスポートブロックサイズテーブルを選択し、前記選択された第1のトランスポートブロックサイズテーブル内の対応するトランスポートブロックサイズ(TBS)、または前記選択された第2のトランスポートブロックサイズを前記変調符号化方式レベルおよび物理リソースブロック対の数に従って決定するように構成されたプロセッサであって、前記第2のトランスポートブロックサイズテーブル内のTBSはどれも、前記第1のトランスポートブロックサイズテーブル内の対応する位置にあるTBSよりも小さくない、プロセッサとを備え、
前記受信機は、前記決定されたTBSを使用することによってサービスデータを前記基地局から受信するようにさらに構成される、ユーザ機器。
【請求項１４】
前記プロセッサは、システム構成パラメータまたはシステムオーバーヘッドに従って、前記第1のトランスポートブロックサイズテーブルおよび前記第2のトランスポートブロックサイズから1つのトランスポートブロックサイズテーブルを選択するようにさらに構成される請求項13に記載のユーザ機器。
【請求項１５】
前記受信機は、一方のトランスポートブロックサイズテーブルが、前記第1のトランスポートブロックサイズテーブルおよび前記第2のトランスポートブロックサイズテーブルから選択される前に、上位レイヤシグナリングメッセージを前記基地局から受信するようにさらに構成され、前記上位レイヤシグナリングメッセージは、前記第1のトランスポートブロックサイズテーブルまたは前記第2のトランスポートブロックサイズテーブルの選択を命令する命令情報を搬送する、または
前記受信機は、一方のトランスポートブロックサイズテーブルが、前記第1のトランスポートブロックサイズテーブルおよび前記第2のトランスポートブロックサイズテーブルから選択される前に、ダウンリンク制御メッセージを前記基地局から受信するようにさらに構成され、前記ダウンリンク制御メッセージは、前記第1のトランスポートブロックサイズテーブルまたは前記第2のトランスポートブロックサイズテーブルの選択を命令する命令情報を搬送する請求項13または14に記載のユーザ機器。
【請求項１６】
前記第1のトランスポートブロックサイズテーブルは、LTE REL.8システムにおけるレイヤ1データ・トランスポート・ブロック・サイズ・テーブルを含み、
前記第2のトランスポートブロックサイズテーブル内のすべてのTBSは、前記第1のトランスポートブロックサイズテーブル内のTBSに含まれ、
前記第2のトランスポートブロックサイズテーブル内のTBSはどれも、ターゲット符号化速度に最も近い符号化速度に対応する、前記第1のトランスポートブロックサイズテーブル内のTBSであるか、または
前記第1のトランスポートブロックサイズテーブルは、LTE REL.8システムにおけるレイヤ1データ・トランスポート・ブロック・サイズ・テーブルを含み、
前記第2のトランスポートブロックサイズテーブル内のいくつかのTBSは、前記第1のトランスポートブロックサイズテーブル内のTBSに含まれ、前記第2のトランスポートブロックサイズテーブル内のいくつかのTBSは、設定されたレイヤ2データ・トランスポート・ブロック・サイズ・テーブルに含まれ、
前記第2のトランスポートブロックサイズテーブル内のTBSはどれも、ターゲット符号化速度に最も近い符号化速度に対応する、第1のトランスポートブロックサイズおよび前記設定されたレイヤ2データ・トランスポート・ブロック・サイズ・テーブル内のTBSである請求項13から15のいずれか一項に記載のユーザ機器。
【発明の詳細な説明】
【技術分野】
【０００１】
本発明の実施形態は、通信技術に関し、特に、データ送信方法、基地局、およびユーザ機器に関する。
【背景技術】
【０００２】
ロングタームエボリューションリリース.8(英語の完全名称:Long Term Evolution Release.8 REL.8、略語:LTE REL.8)からLTE REL.11に至るシステムにおいて、基地局からユーザ機器(英語の完全名称:User Equipment、略語:UE)へのチャネルの状態は、基地局からUEへのスループットを決定する。良好なチャネル状態では、基地局は、高変調符号化方式(英語の完全名称:Modulation and Coding Scheme、略語:MCS)レベルを使用することによってデータをUEに送信することができ、システムのスループットもまた大きい。良好でないチャネル状態では、データ送信時にビット誤り率を制御するために、基地局は、低いMCSレベルを使用することによってデータをUEに送信することができる。基地局は、UEによってフィードバックされるチャネル状態に応じて、このチャネル上でデータを送信するために使用される符号化速度およびMCSレベルを決定する。この符号化速度でデータをUEに送信する目的を達成するために、基地局は、配信されるサービスデータが占有する必要のあるトランスポートブロックサイズを決定する必要がある。トランスポートブロックサイズを決定するときに、基地局は、一般的に、トランスポートブロックサイズテーブル(英語の完全名称:Transport block size table、略語:TBSテーブル)において、システムによってスケジュールされている決定されたMCSレベルおよび周波数リソースに従って、基地局がUEに配信するサービスデータを搬送するために使用されるトランスポートブロックサイズを決定する。
【０００３】
従来技術では、LTE REL.12において、基地局は、既存のTBSテーブルに従って決定されたトランスポートブロックサイズを使用することによってデータをUEに送信する。しかし、LTE REL.12システムのシステムオーバーヘッドは、LTE REL.8からLTE REL.11のシステムのシステムオーバーヘッドよりも低く、このため、送信時の実際の有効符号化速度は低くなり、LTE REL.12システムのスループットにさらに影響を及ぼす。
【発明の概要】
【発明が解決しようとする課題】
【０００４】
本発明の実施形態の一目的は、有効符号化速度が低下し、基地局が既存のTBSテーブルに従って決定されたトランスポートブロックサイズを使用することによってデータをUEに送信するときにシステムスループットが影響を受けるという問題を解決するためのデータ送信方法、基地局、およびユーザ機器を実現することである。
【課題を解決するための手段】
【０００５】
第1の態様によれば、本発明の一実施形態は、
変調符号化方式レベルを、基地局によって、決定するステップと、
時間周波数リソースを、基地局によって、決定し、時間周波数リソースに従って物理リソースブロック対の数を決定するステップと、
第1のトランスポートブロックサイズテーブルおよび第2のトランスポートブロックサイズテーブルから1つのトランスポートブロックサイズテーブルを、基地局によって、選択し、選択された第1のトランスポートブロックサイズテーブル内の対応するトランスポートブロックサイズTBS、または選択された第2のトランスポートブロックサイズを変調符号化方式レベルおよび物理リソースブロックの対の数に従って決定するステップであって、第2のトランスポートブロックサイズテーブル内のTBSはどれも、第1のトランスポートブロックサイズテーブル内の対応する位置にあるTBSよりも小さくない、ステップと、
決定されたTBSを使用することによってサービスデータをユーザ機器に、基地局によって、送信するステップと、
システムスケジューリング制御信号をユーザ機器に、基地局によって、送信するステップであって、システムスケジューリング制御信号は、変調符号化方式レベルおよび時間周波数リソースを含む、ステップとを含むデータ送信方法を提供する。
【０００６】
第1の態様に関して、第1の態様の第1の可能な実装方法において、第1のトランスポートブロックサイズテーブル内の最大変調符号化方式レベルに含まれるすべてのTBSに対応する符号化速度は、設定された符号化速度に等しく、および/または第2のトランスポートブロックサイズテーブル内の最大変調符号化方式レベルに含まれるすべてのTBSに対応する符号化速度は、設定された符号化速度に等しい。
【０００７】
第1の態様、または第1の態様の第1の可能な実装方法に関して、第1の態様の第2の可能な実装方法において、第1のトランスポートブロックサイズテーブルおよび第2のトランスポートブロックサイズテーブルから1つのトランスポートブロックサイズテーブルを、基地局によって、選択するステップは、
システム構成パラメータまたはシステムオーバーヘッドに従って、第1のトランスポートブロックサイズテーブルおよび第2のトランスポートブロックサイズから1つのトランスポートブロックサイズテーブルを、基地局によって、選択するステップを含む。
【０００８】
第1の態様、または第1の態様の第1の可能な実装方法に関して、第1の態様の第3の可能な実装方法において、この方法は、
上位レイヤシグナリングメッセージ(higher-layer signaling message)をユーザ機器に、基地局によって、送信するステップであって、上位レイヤシグナリングメッセージは、第1のトランスポートブロックサイズテーブルまたは第2のトランスポートブロックサイズテーブルの選択を命令する命令情報を搬送する、ステップをさらに含む。
【０００９】
第1の態様、または第1の態様の第1の可能な実装方法に関して、第1の態様の第4の可能な実装方法において、この方法は、
ダウンリンク制御メッセージをユーザ機器に、基地局によって、送信するステップであって、ダウンリンク制御メッセージは、第1のトランスポートブロックサイズテーブルまたは第2のトランスポートブロックサイズテーブルの選択を命令する命令情報を搬送する、ステップをさらに含む。
【００１０】
第1の態様または第1の態様の第1の可能な実装方法、第1の態様の第2の可能な実装方法、第1の態様の第3の可能な実装方法、および第1の態様の第4の可能な実装方法のうちのどれか1つの可能な実装方法に関して、第1の態様の第5の可能な実装方法において、第1のトランスポートブロックサイズテーブルは、LTE REL.8システムにおけるレイヤ1データ・トランスポート・ブロック・サイズ・テーブルを含む。
【００１１】
第1の態様の第5の可能な実装方法に関して、第1の態様の第6の可能な実装方法において、第2のトランスポートブロックサイズテーブル内のすべてのTBSは、第1のトランスポートブロックサイズテーブル内のTBSに含まれる。
【００１２】
第1の態様の第6の可能な実装方法に関して、第1の態様の第7の可能な実装方法において、第2のトランスポートブロックサイズテーブル内のTBSはどれも、ターゲット符号化速度に最も近い符号化速度に対応する、第1のトランスポートブロックサイズテーブル内のTBSである。
【００１３】
第1の態様の第5の可能な実装方法に関して、第1の態様の第8の可能な実装方法において、第2のトランスポートブロックサイズテーブル内のいくつかのTBSは、第1のトランスポートブロックサイズテーブル内のTBSに含まれ、第2のトランスポートブロックサイズテーブル内のいくつかのTBSは、設定されたレイヤ2データ・トランスポート・ブロック・サイズ・テーブルに含まれる。
【００１４】
第1の態様の第8の可能な実装方法に関して、第1の態様の第9の可能な実装方法において、第2のトランスポートブロックサイズテーブル内のTBSはどれも、ターゲット符号化速度に最も近い符号化速度に対応する、第1のトランスポートブロックサイズテーブルおよび設定されたレイヤ2データ・トランスポート・ブロック・サイズ・テーブル内のTBSである。
【００１５】
第1の態様の第7の可能な実装方法または第1の態様の第9の可能な実装方法に関して、第1の態様の第10の可能な実装方法において、ターゲット符号化速度は、変調符号化方式レベルおよびLTE REL.8における物理リソースブロック対の数に対応する符号化速度であるか、またはターゲット符号化速度は、LTE REL.8における変調符号化方式レベルおよび物理リソースブロック対の数に対応する符号化速度の最適化された符号化速度である。
【００１６】
第2の態様によれば、本発明の一実施形態は、
システムスケジューリング制御信号を基地局から、ユーザ機器によって、受信するステップであって、システムスケジューリング制御信号は、変調符号化方式レベルおよび時間周波数リソースを含む、ステップと、
第1のトランスポートブロックサイズテーブルおよび第2のトランスポートブロックサイズテーブルから1つのトランスポートブロックサイズテーブルを、ユーザ機器によって、選択し、選択された第1のトランスポートブロックサイズテーブル内の対応するトランスポートブロックサイズTBS、または選択された第2のトランスポートブロックサイズを変調符号化方式レベルおよび物理リソースブロック対の数に従って決定するステップであって、第2のトランスポートブロックサイズテーブル内のTBSはどれも、第1のトランスポートブロックサイズテーブル内の対応する位置にあるTBSよりも小さくない、ステップと、決定されたTBSを使用することによってサービスデータを基地局から、ユーザ機器によって、受信するステップとを含む、データ送信方法を提供する。
【００１７】
第2の態様に関して、第2の態様の第1の可能な実装方法において、第1のトランスポートブロックサイズテーブル内の最大変調符号化方式レベルに含まれるすべてのTBSに対応する符号化速度は、設定された符号化速度に等しく、および/または第2のトランスポートブロックサイズテーブル内の最大変調符号化方式レベルに含まれるすべてのTBSに対応する符号化速度は、設定された符号化速度に等しい。
【００１８】
第2の態様、または第2の態様の第1の可能な実装方法に関して、第2の態様の第2の可能な実装方法において、第1のトランスポートブロックサイズテーブルおよび第2のトランスポートブロックサイズテーブルから1つのトランスポートブロックサイズテーブルを、ユーザ機器によって、選択するステップは、
システム構成パラメータまたはシステムオーバーヘッドに従って、第1のトランスポートブロックサイズテーブルおよび第2のトランスポートブロックサイズから1つのトランスポートブロックサイズテーブルを、ユーザ機器によって、選択するステップを含む。
【００１９】
第2の態様、または第2の態様の第1の可能な実装方法に関して、第2の態様の第3の可能な実装方法において、第1のトランスポートブロックサイズテーブルおよび第2のトランスポートブロックサイズテーブルから1つのトランスポートブロックサイズテーブルを、ユーザ機器によって、選択する前に、この方法は、
上位レイヤシグナリングメッセージを基地局から、ユーザ機器によって、受信するステップであって、上位レイヤシグナリングメッセージは、第1のトランスポートブロックサイズテーブルまたは第2のトランスポートブロックサイズテーブルの選択を命令する命令情報を搬送する、ステップをさらに含む。
【００２０】
第2の態様、または第2の態様の第1の可能な実装方法に関して、第2の態様の第4の可能な実装方法において、第1のトランスポートブロックサイズテーブルおよび第2のトランスポートブロックサイズテーブルから1つのトランスポートブロックサイズテーブルを、ユーザ機器によって、選択する前に、この方法は、
ダウンリンク制御メッセージを基地局から、ユーザ機器によって、受信するステップであって、ダウンリンク制御メッセージは、第1のトランスポートブロックサイズテーブルまたは第2のトランスポートブロックサイズテーブルの選択を命令する命令情報を搬送する、ステップをさらに含む。
【００２１】
第2の態様または第2の態様の第1の可能な実装方法、第2の態様の第2の可能な実装方法、第2の態様の第3の可能な実装方法、および第2の態様の第4の可能な実装方法のうちのどれか1つの可能な実装方法に関して、第2の態様の第5の可能な実装方法において、第1のトランスポートブロックサイズテーブルは、LTE REL.8システムにおけるレイヤ1データ・トランスポート・ブロック・サイズ・テーブルを含む。
【００２２】
第2の態様の第5の可能な実装方法に関して、第2の態様の第6の可能な実装方法において、第2のトランスポートブロックサイズテーブル内のすべてのTBSは、第1のトランスポートブロックサイズテーブル内のTBSに含まれる。
【００２３】
第2の態様の第6の可能な実装方法に関して、第2の態様の第7の可能な実装方法において、第2のトランスポートブロックサイズテーブル内のTBSはどれも、ターゲット符号化速度に最も近い符号化速度に対応する、第1のトランスポートブロックサイズテーブル内のTBSである。
【００２４】
第2の態様の第5の可能な実装方法に関して、第2の態様の第8の可能な実装方法において、第2のトランスポートブロックサイズテーブル内のいくつかのTBSは、第1のトランスポートブロックサイズテーブル内のTBSに含まれ、第2のトランスポートブロックサイズテーブル内のいくつかのTBSは、設定されたレイヤ2データ・トランスポート・ブロック・サイズ・テーブルに含まれる。
【００２５】
第2の態様の第8の可能な実装方法に関して、第2の態様の第9の可能な実装方法において、第2のトランスポートブロックサイズテーブル内のTBSはどれも、ターゲット符号化速度に最も近い符号化速度に対応する、第1のトランスポートブロックサイズテーブルおよび設定されたレイヤ2データ・トランスポート・ブロック・サイズ・テーブル内のTBSである。
【００２６】
第2の態様の第7の可能な実装方法または第2の態様の第9の可能な実装方法に関して、第2の態様の第10の可能な実装方法において、ターゲット符号化速度は、変調符号化方式レベルおよびLTE REL.8における物理リソースブロック対の数に対応する符号化速度であるか、またはターゲット符号化速度は、LTE REL.8における変調符号化方式レベルおよび物理リソースブロック対の数に対応する符号化速度の最適化された符号化速度である。
【００２７】
第3の態様によれば、本発明の一実施形態は、
変調符号化方式レベルを決定し、時間周波数リソースを決定し、時間周波数リソースに従って物理リソースブロック対の数を決定するように構成され、第1のトランスポートブロックサイズテーブルおよび第2のトランスポートブロックサイズテーブルから1つのトランスポートブロックサイズテーブルを選択し、選択された第1のトランスポートブロックサイズテーブルまたは選択された第2のトランスポートブロックサイズテーブル内の対応するトランスポートブロックサイズTBSを変調符号化方式レベルおよび物理リソースブロック対の数に従って決定するようにさらに構成されたプロセッサであって、第2のトランスポートブロックサイズテーブル内のTBSはどれも、第1のトランスポートブロックサイズテーブル内の対応する位置にあるTBSよりも小さくない、プロセッサと、
決定されたTBSを使用することによってサービスデータをユーザ機器に送信するように構成され、システムスケジューリング制御信号をユーザ機器に送信するようにさらに構成された送信機であって、システムスケジューリング制御信号は、変調符号化方式レベルおよび時間周波数リソースを含む、送信機とを含む、基地局を実現する。
【００２８】
第3の態様に関して、第3の態様の第1の可能な実装方法において、第1のトランスポートブロックサイズテーブル内の最大変調符号化方式レベルに含まれるすべてのTBSに対応する符号化速度は、設定された符号化速度に等しく、および/または第2のトランスポートブロックサイズテーブル内の最大変調符号化方式レベルに含まれるすべてのTBSに対応する符号化速度は、設定された符号化速度に等しい。
【００２９】
第3の態様または第3の態様の第1の可能な実装方法に関して、第3の態様の第2の可能な実装方法において、プロセッサは、システム構成パラメータまたはシステムオーバーヘッドに従って、第1のトランスポートブロックサイズテーブルおよび第2のトランスポートブロックサイズテーブルから1つのトランスポートブロックサイズテーブルを選択するようにさらに構成される。
【００３０】
第3の態様または第3の態様の第1の可能な実装方法に関して、第3の態様の第3の可能な実装方法において、送信機は、上位レイヤシグナリングメッセージをユーザ機器に送信するようにさらに構成され、上位レイヤシグナリングメッセージは、第1のトランスポートブロックサイズテーブルまたは第2のトランスポートブロックサイズテーブルの選択を命令する命令情報を搬送する。
【００３１】
第3の態様または第3の態様の第1の可能な実装方法に関して、第3の態様の第4の可能な実装方法において、送信機は、ダウンリンク制御メッセージをユーザ機器に送信するようにさらに構成され、ダウンリンク制御メッセージは、第1のトランスポートブロックサイズテーブルまたは第2のトランスポートブロックサイズテーブルの選択を命令する命令情報を搬送する。
【００３２】
第3の態様または第3の態様の第1の可能な実装方法、第3の態様の第2の可能な実装方法、第3の態様の第3の可能な実装方法、および第3の態様の第4の可能な実装方法のうちのどれか1つの可能な実装方法に関して、第3の態様の第5の可能な実装方法において、第1のトランスポートブロックサイズテーブルは、LTE REL.8システムにおけるレイヤ1データ・トランスポート・ブロック・サイズ・テーブルを含む。
【００３３】
第3の態様の第5の可能な実装方法に関して、第3の態様の第6の可能な実装方法において、第2のトランスポートブロックサイズテーブル内のすべてのTBSは、第1のトランスポートブロックサイズテーブル内のTBSに含まれる。
【００３４】
第3の態様の第6の可能な実装方法に関して、第3の態様の第7の可能な実装方法において、第2のトランスポートブロックサイズテーブル内のTBSはどれも、ターゲット符号化速度に最も近い符号化速度に対応する、第1のトランスポートブロックサイズテーブル内のTBSである。
【００３５】
第3の態様の第5の可能な実装方法に関して、第3の態様の第8の可能な実装方法において、第2のトランスポートブロックサイズテーブル内のいくつかのTBSは、第1のトランスポートブロックサイズテーブル内のTBSに含まれ、第2のトランスポートブロックサイズテーブル内のいくつかのTBSは、設定されたレイヤ2データ・トランスポート・ブロック・サイズ・テーブルに含まれる。
【００３６】
第3の態様の第8の可能な実装方法に関して、第3の態様の第9の可能な実装方法において、第2のトランスポートブロックサイズテーブル内のTBSはどれも、ターゲット符号化速度に最も近い符号化速度に対応する、第1のトランスポートブロックサイズテーブルおよび設定されたレイヤ2データ・トランスポート・ブロック・サイズ・テーブル内のTBSである。
【００３７】
第3の態様の第7の可能な実装方法または第3の態様の第9の可能な実装方法に関して、第3の態様の第10の可能な実装方法において、ターゲット符号化速度は、変調符号化方式レベルおよびLTE REL.8における物理リソースブロック対の数に対応する符号化速度であるか、またはターゲット符号化速度は、LTE REL.8における変調符号化方式レベルおよび物理リソースブロック対の数に対応する符号化速度の最適化された符号化速度である。
【００３８】
第4の態様によれば、本発明の一実施形態は、
システムスケジューリング制御信号を基地局から受信するように構成された受信機であって、システムスケジューリング制御信号は、変調符号化方式レベルおよび時間周波数リソースを含む、受信機と、
第1のトランスポートブロックサイズテーブルおよび第2のトランスポートブロックサイズテーブルから1つのトランスポートブロックサイズテーブルを選択し、選択された第1のトランスポートブロックサイズテーブル内の対応するトランスポートブロックサイズTBS、または選択された第2のトランスポートブロックサイズを変調符号化方式レベルおよび物理リソースブロック対の数に従って決定するように構成されたプロセッサであって、第2のトランスポートブロックサイズテーブル内のTBSはどれも、第1のトランスポートブロックサイズテーブル内の対応する位置にあるTBSよりも小さくない、プロセッサとを備え、
受信機は、決定されたTBSを使用することによってサービスデータを基地局から受信するようにさらに構成される、ユーザ機器を実現する。
【００３９】
第4の態様に関して、第4の態様の第1の可能な実装方法において、第1のトランスポートブロックサイズテーブル内の最大変調符号化方式レベルに含まれるすべてのTBSに対応する符号化速度は、設定された符号化速度に等しく、および/または第2のトランスポートブロックサイズテーブル内の最大変調符号化方式レベルに含まれるすべてのTBSに対応する符号化速度は、設定された符号化速度に等しい。
【００４０】
第4の態様または第4の態様の第1の可能な実装方法に関して、第4の態様の第2の可能な実装方法において、プロセッサは、システム構成パラメータまたはシステムオーバーヘッドに従って、第1のトランスポートブロックサイズテーブルおよび第2のトランスポートブロックサイズテーブルから1つのトランスポートブロックサイズテーブルを選択するようにさらに構成される。
【００４１】
第4の態様または第4の態様の第1の可能な実装方法に関して、第4の態様の第3の可能な実装方法において、受信機は、一方のトランスポートブロックサイズテーブルが、第1のトランスポートブロックサイズテーブルおよび第2のトランスポートブロックサイズテーブルから選択される前に、上位レイヤシグナリングメッセージを基地局から受信するようにさらに構成され、上位レイヤシグナリングメッセージは、第1のトランスポートブロックサイズテーブルまたは第2のトランスポートブロックサイズテーブルの選択を命令する命令情報を搬送する。
【００４２】
第4の態様または第4の態様の第1の可能な実装方法に関して、第4の態様の第4の可能な実装方法において、受信機は、一方のトランスポートブロックサイズテーブルが、第1のトランスポートブロックサイズテーブルおよび第2のトランスポートブロックサイズテーブルから選択される前に、ダウンリンク制御メッセージを基地局から受信するようにさらに構成され、ダウンリンク制御メッセージは、第1のトランスポートブロックサイズテーブルまたは第2のトランスポートブロックサイズテーブルの選択を命令する命令情報を搬送する。
【００４３】
第4の態様または第4の態様の第1の可能な実装方法、第4の態様の第2の可能な実装方法、第4の態様の第3の可能な実装方法、および第4の態様の第4の可能な実装方法のうちのどれか1つの可能な実装方法に関して、第4の態様の第5の可能な実装方法において、第1のトランスポートブロックサイズテーブルは、LTE REL.8システムにおけるレイヤ1データ・トランスポート・ブロック・サイズ・テーブルを含む。
【００４４】
第4の態様の第5の可能な実装方法に関して、第4の態様の第6の可能な実装方法において、第2のトランスポートブロックサイズテーブル内のすべてのTBSは、第1のトランスポートブロックサイズテーブル内のTBSに含まれる。
【００４５】
第4の態様の第6の可能な実装方法に関して、第4の態様の第7の可能な実装方法において、第2のトランスポートブロックサイズテーブル内のTBSはどれも、ターゲット符号化速度に最も近い符号化速度に対応する、第1のトランスポートブロックサイズテーブル内のTBSである。
【００４６】
第4の態様の第5の可能な実装方法に関して、第4の態様の第8の可能な実装方法において、第2のトランスポートブロックサイズテーブル内のいくつかのTBSは、第1のトランスポートブロックサイズテーブル内のTBSに含まれ、第2のトランスポートブロックサイズテーブル内のいくつかのTBSは、設定されたレイヤ2データ・トランスポート・ブロック・サイズ・テーブルに含まれる。
【００４７】
第4の態様の第8の可能な実装方法に関して、第4の態様の第9の可能な実装方法において、第2のトランスポートブロックサイズテーブル内のTBSはどれも、ターゲット符号化速度に最も近い符号化速度に対応する、第1のトランスポートブロックサイズテーブルおよび設定されたレイヤ2データ・トランスポート・ブロック・サイズ・テーブル内のTBSである。
【００４８】
第4の態様の第7の可能な実装方法または第4の態様の第9の可能な実装方法に関して、第4の態様の第10の可能な実装方法において、ターゲット符号化速度は、変調符号化方式レベルおよびLTE REL.8における物理リソースブロック対の数に対応する符号化速度であるか、またはターゲット符号化速度は、LTE REL.8における変調符号化方式レベルおよび物理リソースブロック対の数に対応する符号化速度の最適化された符号化速度である。
【００４９】
実施形態のデータ送信方法、基地局、およびユーザ機器において、基地局は、変調符号化方式レベルを決定し、時間周波数リソースを決定し、時間周波数リソースに従って物理リソースブロック対の数を決定し、第1のトランスポートブロックサイズテーブルおよび第2のトランスポートブロックサイズテーブルから1つのトランスポートブロックサイズテーブルを選択し、選択された第1のトランスポートブロックサイズテーブルまたは選択された第2のトランスポートブロックサイズテーブル内の対応するトランスポートブロックサイズTBSを変調符号化方式レベルおよび物理リソースブロック対の数に従って決定し、第2のトランスポートブロックサイズテーブル内のTBSはどれも、第1のトランスポートブロックサイズテーブル内の対応する位置にあるTBSよりも小さくなく、基地局は、決定されたTBSを使用することによってサービスデータをUEに送信し、システムスケジューリング制御信号をUEに送信し、システムスケジューリング制御信号は、変調符号化方式レベルおよび時間周波数リソースを含む。この方法で、基地局は、トランスポートブロックサイズテーブルの選択を実装し、したがって、符号化速度は、基地局が選択された第2のトランスポートブロックサイズテーブル内のTBSに従ってサービスデータをUEに送信するときに改善され得る。
【００５０】
本発明の実施形態または従来技術における技術的解決策をより明確に説明するために、以下において、実施形態または従来技術の説明に必要な添付図面を簡単に紹介する。明らかに、以下の説明の添付図面は、本発明のいくつかの実施形態を示しており、当業者であれば、創造的労力を費やすことなくこれらの添付図面から他の図面をさらに導き出すことができる。
【図面の簡単な説明】
【００５１】
【図１】本発明によるデータ送信方法の第1の実施形態の流れ図である。
【図２】本発明によるデータ送信方法の第2の実施形態の流れ図である。
【図３】本発明による基地局の第1の実施形態の概略構造図である。
【図４】本発明によるユーザ機器の第1の実施形態の概略構造図である。
【発明を実施するための形態】
【００５２】
本発明の目的、技術的解決策、および利点をよりわかりやすくするために、以下では、本発明の添付図面を参照しつつ本発明における技術的解決策を明確に、かつ完全に説明する。明らかに、説明されている実施形態は、本発明の実施形態のすべてではなくむしろ一部である。創造的労力を費やすことなく本発明の実施形態に基づいて当業者が得る他のすべての実施形態は、本発明の保護の範囲内に収まるものとする。
【００５３】
図1は、本発明のデータ送信方法の第1の実施形態の流れ図である。図1に示されているように、この実施形態のデータ送信方法は、以下のステップを含む。
【００５４】
101.基地局は、変調符号化方式レベルを決定する。
【００５５】
基地局が、サービスデータをユーザ機器(英語の完全名称:User Equipment、略語:UE)に送信するときに、基地局は、変調符号化方式レベル(英語の完全名称:Modulation and Coding Scheme level、略語:MCSレベル)を決定する必要があり、これにより、基地局は、送信されるサービスデータに対して、決定されたMCSレベルに従って、符号化を実行する。
【００５６】
基地局は、UEによって報告されるチャネル状態に従ってMCSレベルを決定することができる。基地局とUEとの間の通信チャネルの状態が比較的良好であるときに、基地局は、高MCSレベルを変調符号化方式レベルとして決定し、送信されるサービスデータに対して符号化を実行することができ、基地局とUEとの間の通信チャネルの状態が比較的悪いときに、基地局は、低MCSレベルを変調符号化方式レベルとして決定し、送信されるサービスデータに対して符号化を実行することができる。
【００５７】
102.基地局は、時間周波数リソースを決定し、時間周波数リソースに従って物理リソースブロック対の数を決定する。
【００５８】
システムは、現在の時間周波数リソースの利用可能性に従って、データ送信に対する時間周波数リソースをスケジュールすることができ、基地局は、決定される時間周波数リソースに従って、サービスデータをUEに送信するために基地局によって使用される物理リソースブロック対(英語の完全名称:Physical Resource Block pairs、略語:PRB対)の数を決定し、たとえば、基地局によって決定されるPRB対の数が、8である場合、基地局は、8つのPRB対を使用して、サービスデータを搬送する。
【００５９】
103.基地局は、第1のトランスポートブロックサイズテーブルおよび第2のトランスポートブロックサイズテーブルから1つのトランスポートブロックサイズテーブルを選択し、選択された第1のトランスポートブロックサイズテーブル内の対応するトランスポートブロックサイズTBS、または選択された第2のトランスポートブロックサイズを変調符号化方式レベルおよび物理リソースブロック対の数に従って決定し、第2のトランスポートブロックサイズテーブル内のTBSはどれも、第1のトランスポートブロックサイズテーブル内の対応する位置にあるTBSよりも小さくない。
【００６０】
基地局は、第1のトランスポートブロックサイズテーブルおよび第2のトランスポートブロックサイズテーブルから1つのトランスポートブロックサイズテーブルを選択して、トランスポートブロックサイズ(英語の完全名称:Transport block size、略語:TBS)を決定する。具体的には、基地局は、決定されたMCSレベルに従って、変調順序指数(modulation order index)値およびトランスポートブロックサイズ指数テーブル(英語の完全名称:Modulation and TBS index table for PDSCH)内のMCSレベルに対応するTBS指数値を最初に決定することができ、次に、基地局は、TBSを決定するために選択された第1のトランスポートブロックサイズテーブルまたは第2のトランスポートブロックサイズテーブルにおいて、決定されたTBS指数値およびPRB対の決定された数に対応するTBS値を決定する。
【００６１】
第2のトランスポートブロックサイズテーブル内のTBS値は、第1のトランスポートブロックサイズテーブル内の同じ位置にあるTBS値と比較され、第2のトランスポートブロックサイズテーブル内のTBS値は、第1のトランスポートブロックサイズテーブル内のTBS値よりも小さくなく、したがって、第2のトランスポートブロックサイズテーブル内のTBS値に対応する符号化速度は、第1のトランスポートブロックサイズテーブル内のTBS値に対応する符号化速度よりも遅くない。
【００６２】
代替的に、第2のトランスポートブロックサイズテーブル内のTBS値は、第1のトランスポートブロックサイズテーブル内の同じ位置にあるTBS値と比較され、第2のトランスポートブロックサイズテーブル内のTBS値は、第1のトランスポートブロックサイズテーブル内のTBS値よりも小さくてもよく、したがって、第2のトランスポートブロックサイズテーブル内のTBS値に対応する符号化速度は、第1のトランスポートブロックサイズテーブル内のTBS値に対応する符号化速度よりも遅い。この場合、第2のトランスポートブロックサイズテーブルは、システムオーバーヘッドがLTE REL.8システムのシステムオーバーヘッドよりも大きいシナリオにおいて適用され、基地局が第2のトランスポートブロックサイズテーブル内のTBS値に従って符号化を実行するときに、符号化速度は、システムの所望の符号化速度に近い速度まで低減され得る。
【００６３】
104.基地局は、決定されたTBSを使用することによってサービスデータをUEに送信する。
【００６４】
基地局は、第2のトランスポートブロックサイズテーブルまたは第1のトランスポートブロックサイズテーブルに従って決定されたTBSへのサービスデータを変調し、変調されたサービスデータをUEに送信する。
【００６５】
105.基地局は、システムスケジューリング制御信号をUEに送信し、システムスケジューリング制御信号は、変調符号化方式レベルおよび時間周波数リソースを含む。
【００６６】
基地局は、UEに、MCSレベルおよび基地局によって決定された時間周波数リソースを含むシステムスケジューリング制御信号を送信し、これにより、UEは、MCSレベルおよび時間周波数リソースに従って基地局からサービスデータを正しく受信することができる。このステップは、ステップ104の前にさらに実行され得る。
【００６７】
この実施形態のデータ送信方法において、基地局は、変調符号化方式レベルを決定し、時間周波数リソースを決定し、時間周波数リソースに従って物理リソースブロック対の数を決定し、第1のトランスポートブロックサイズテーブルおよび第2のトランスポートブロックサイズテーブルから1つのトランスポートブロックサイズテーブルを選択し、選択された第1のトランスポートブロックサイズテーブルまたは選択された第2のトランスポートブロックサイズテーブル内の対応するトランスポートブロックサイズTBSを変調符号化方式レベルおよび物理リソースブロック対の数に従って決定し、第2のトランスポートブロックサイズテーブル内のTBSはどれも、第1のトランスポートブロックサイズテーブル内の対応する位置にあるTBSよりも小さくなく、基地局は、決定されたTBSを使用することによってサービスデータをUEに送信し、システムスケジューリング制御信号をUEに送信し、システムスケジューリング制御信号は、変調符号化方式レベルおよび時間周波数リソースを含む。この方法で、基地局は、トランスポートブロックサイズテーブルの選択を実装し、したがって、符号化速度は、基地局が選択された第2のトランスポートブロックサイズテーブル内のTBSに従ってサービスデータをUEに送信するときに改善され得る。
【００６８】
適宜、第1のトランスポートブロックサイズテーブル内の最大変調符号化方式レベルに含まれるすべてのTBSに対応する符号化速度は、設定された符号化速度に等しく、および/または第2のトランスポートブロックサイズテーブル内の最大変調符号化方式レベルに含まれるすべてのTBSに対応する符号化速度は、設定された符号化速度に等しい。
【００６９】
具体的には、第1のトランスポートブロックサイズテーブルは、LTE REL.8におけるレイヤ1データ・トランスポート・ブロック・サイズ・テーブルを含むものとしてよく、LTE REL.8におけるレイヤ1データ・トランスポート・ブロック・サイズ・テーブルが、Table 1(表1)に示されている。
【００７０】
【表１Ａ】
0006052650.tif 000002
【００７１】
【表１Ｂ】
0006052650.tif 000003
【００７２】
【表１Ｃ】
0006052650.tif 000004
【００７３】
【表１Ｄ】
0006052650.tif 000005
【００７４】
【表１Ｅ】
0006052650.tif 000006
【００７５】
【表１Ｆ】
0006052650.tif 000007
【００７６】
【表１Ｇ】
0006052650.tif 000008
【００７７】
【表１Ｈ】
0006052650.tif 000009
【００７８】
【表１Ｉ】
0006052650.tif 000010
【００７９】
第1のトランスポートブロックサイズテーブルにおいて、NPRBは、物理リソースブロック対の数を表し、ITBSは、TBS指数値を表し、テーブル内の要素は、トランスポートブロックサイズTBSを表す。
【００８０】
第1のトランスポートブロックサイズテーブル内の最大変調符号化方式レベルに含まれるTBSは、設定された符号化速度に対応するTBSであってよく、設定された符号化速度に対応するすべてのTBSは、Table 2-1(表2)に示されているように、前述のTable 1(表1)の0から25のITBSに対応するすべてのTBSに含まれ得るか、または設定された符号化速度に対応するTBSは、Table 2-2(表3)に示されているように、さらに、前述のTable 1(表1)の0から25のITBSに対応するすべてのTBSに含まれ得るか、もしくはレイヤ2データ・トランスポート・ブロック・サイズ・テーブルに含まれ得るか、または設定された符号化速度に対応するTBSのうちのどれも、Table 2-3(表4)に示されているように、前述のTable 1(表1)の0から25のITBSに対応するすべてのTBSに含まれ得ることがないか、もしくはレイヤ2データ・トランスポート・ブロック・サイズ・テーブルに含まれ得ることがないか、または設定された符号化速度に対応するTBSのうちのいくつかが、Table 2-3(表4)に示されているように、前述のTable 1(表1)の0から25のITBSに対応するすべてのTBSに含まれ得るか、もしくはレイヤ2データ・トランスポート・ブロック・サイズ・テーブルに含まれ得る。
【００８１】
【表２Ａ】
0006052650.tif 000011
【００８２】
【表２Ｂ】
0006052650.tif 000012
【００８３】
【表３Ａ】
0006052650.tif 000013
【００８４】
【表３Ｂ】
0006052650.tif 000014
【００８５】
【表４Ａ】
0006052650.tif 000015
【００８６】
【表４Ｂ】
0006052650.tif 000016
【００８７】
リソース要素が48あるシステムオーバーヘッドを有するLTE REL.8システムにおいて、前述のTable 2-1(表2)、Table 2-2(表3)、およびTable 2-3(表4)におけるTBSを使用することによってサービスデータに対して符号化を実行するための符号化速度は、有効符号化速度であるものとしてよく、有効符号化速度は、たとえば、0.93とすることができる。
【００８８】
第2のトランスポートブロックサイズテーブル内の最大変調符号化方式レベルに含まれるTBSは、さらに、設定された符号化速度に対応するTBSであってよく、設定された符号化速度は、たとえば、0.93とすることができ、これにより、リソース要素が12あるシステムオーバーヘッドを有するLTE REL.12システムにおいて、第2のトランスポートブロックサイズテーブル内の最大変調符号化方式レベルに含まれるTBSに対応する符号化速度は、有効符号化速度となる。他の実施形態では、ビット誤り率に対するシステムの要求条件は、変更される場合、または他の場合に、設定された符号化速度は、さらに、本明細書では制限されていない、別の値であってよい。
【００８９】
さらに、第1のトランスポートブロックサイズテーブルおよび第2のトランスポートブロックサイズテーブルから1つのトランスポートブロックサイズテーブルを、基地局によって、選択するステップは、システム構成パラメータまたはシステムオーバーヘッドに従って、第1のトランスポートブロックサイズテーブルおよび第2のトランスポートブロックサイズテーブルから1つのトランスポートブロックサイズテーブルを、基地局によって、選択するステップをさらに含み得る。
【００９０】
具体的には、基地局が、第1のトランスポートブロックサイズテーブルおよび第2のトランスポートブロックサイズテーブルから1つのトランスポートブロックサイズテーブルを選択した場合、基地局は、システム構成パラメータに従って第1のトランスポートブロックサイズテーブルまたは第2のトランスポートブロックサイズを選択し、第1のトランスポートブロックサイズテーブルまたは第2のトランスポートブロックサイズテーブル内のTBSをさらに選択し、TBSに従ってサービスデータに対して符号化を実行し、符号化されたサービスデータをUEに送信することができる。
【００９１】
たとえば、システム構成パラメータが、制御シグナリングが物理ダウンリンク制御チャネルを含むことを指示する場合、基地局は、第1のトランスポートブロックサイズテーブルを選択し、これにより、基地局が第1のトランスポートブロックサイズテーブル内のTBSを使用することによってサービスデータをUEに送信するときの符号化速度は、基地局の所望の符号化速度により近く、所望の符号化速度は、決定された変調符号化方式レベルおよびLTE REL.8における物理リソースブロック対の決定された数に対応する符号化速度であるか、または所望のターゲット符号化速度は、LTE REL.8における決定された変調符号化方式レベルに対応する符号化速度の最適化された符号化速度であってもよい。Table 3(表5)は、LTE REL.8における変調符号化方式レベルに対応する符号化速度の最適化された符号化速度を示している。
【００９２】
【表５】
0006052650.tif 000017
【００９３】
システム構成パラメータが、制御シグナリングが物理ダウンリンク制御チャネルを含まないことを指示する場合、基地局は、第2のトランスポートブロックサイズテーブルを選択し、これにより、第2のトランスポートブロックサイズテーブル内のTBSに対応し、基地局によって使用される符号化速度は、基地局の所望の符号化速度により近い。
【００９４】
基地局は、システムオーバーヘッドに従って第1のトランスポートブロックサイズテーブルまたは第2のトランスポートブロックサイズテーブルをさらに選択することができる。たとえば、システムオーバーヘッドが48個のリソース要素である場合、基地局は、第1のトランスポートブロックサイズテーブルを選択し、システムオーバーヘッドが12個のリソース要素である場合、基地局は、第2のトランスポートブロックサイズテーブルを選択する。
【００９５】
適宜、基地局は、上位レイヤシグナリングメッセージをUEに送信し、上位レイヤシグナリングメッセージは、第1のトランスポートブロックサイズテーブルまたは第2のトランスポートブロックサイズテーブルの選択を命令する命令情報を搬送する。
【００９６】
具体的には、基地局は、どのトランスポートブロックサイズテーブルが基地局に適しているかを、システムオーバーヘッドに従って、予め決定することができ、これにより、基地局がトランスポートブロックサイズテーブル内のTBSを使用することによってサービスデータに送信するときに到達する符号化速度は、基地局の所望の符号化速度に最も近い。この場合、基地局がUEに送信する上位レイヤシグナリングメッセージは、第1のトランスポートブロックサイズテーブルまたは第2のトランスポートブロックサイズテーブルを選択することをUEに命令する命令情報を搬送することができ、この命令情報を使用することによって、第1のトランスポートブロックサイズテーブルまたは第2のトランスポートブロックサイズテーブル内のTBSに従ってサービスデータを受信することをUEに命令する。
【００９７】
適宜、基地局は、ダウンリンク制御メッセージをUEに送信し、ダウンリンク制御メッセージは、第1のトランスポートブロックサイズテーブルまたは第2のトランスポートブロックサイズテーブルの選択を命令する命令情報を搬送し、異なる選択同士の切り替えの際に基地局の速度を増大させることができる。
【００９８】
適宜、第2のトランスポートブロックサイズテーブル内のすべてのTBSは、第1のトランスポートブロックサイズテーブル内のTBSに含まれ得る。
【００９９】
なおもさらに、前述の実施形態に基づき、第2のトランスポートブロックサイズテーブル内のTBSはどれも、ターゲット符号化速度に最も近い符号化速度に対応する、第1のトランスポートブロックサイズテーブル内のTBSとすることができる。
【０１００】
具体的には、TBSが第2のトランスポートブロックサイズテーブル内で決定されたときに、決定されたTBS値は、第1のトランスポートブロックサイズテーブル内のTBSであり、REが12あるシステムオーバーヘッドを有するLTE REL.12システムにおける決定されたTBS値に対応する符号化速度は、REが12あるシステムオーバーヘッドを有するLTE REL.12システムにおける第1のトランスポートブロックサイズテーブル内の他のTBSに対応する符号化速度よりも、ターゲット符号化速度に近く、ターゲット符号化速度は、変調符号化方式レベルおよびLTE REL.8における物理リソースブロック対の数に対応する符号化速度であるものとしてよい。この実施形態における第2のトランスポートブロックサイズテーブルは、Table 4(表6)に示され得る。
【０１０１】
【表６Ａ】
0006052650.tif 000018
【０１０２】
【表６Ｂ】
0006052650.tif 000019
【０１０３】
【表６Ｃ】
0006052650.tif 000020
【０１０４】
【表６Ｄ】
0006052650.tif 000021
【０１０５】
【表６Ｅ】
0006052650.tif 000022
【０１０６】
【表６Ｆ】
0006052650.tif 000023
【０１０７】
【表６Ｇ】
0006052650.tif 000024
【０１０８】
【表６Ｈ】
0006052650.tif 000025
【０１０９】
【表６Ｉ】
0006052650.tif 000026
【０１１０】
代替的に、第2のトランスポートブロックサイズテーブルは、Table 5(表7)に示され得る。TBSがTable 5(表7)に示されている第2のトランスポートブロックサイズテーブル内で決定されたときに、決定されたTBS値は、第1のトランスポートブロックサイズテーブル内のTBSであり、REが12あるシステムオーバーヘッドを有するLTE REL.12システムにおける決定されたTBS値に対応する符号化速度は、REが12あるシステムオーバーヘッドを有するLTE REL.12システムにおける第1のトランスポートブロックサイズテーブル内の他のTBSに対応する符号化速度よりも、ターゲット符号化速度に近く、ターゲット符号化速度は、Table 3(表5)に示されているLTE REL.8における変調符号化方式レベルに対応する符号化速度の最適化された符号化速度であってよい。
【０１１１】
【表７Ａ】
0006052650.tif 000027
【０１１２】
【表７Ｂ】
0006052650.tif 000028
【０１１３】
【表７Ｃ】
0006052650.tif 000029
【０１１４】
【表７Ｄ】
0006052650.tif 000030
【０１１５】
【表７Ｅ】
0006052650.tif 000031
【０１１６】
【表７Ｆ】
0006052650.tif 000032
【０１１７】
【表７Ｇ】
0006052650.tif 000033
【０１１８】
【表７Ｈ】
0006052650.tif 000034
【０１１９】
【表７Ｉ】
0006052650.tif 000035
【０１２０】
【表７Ｊ】
0006052650.tif 000036
【０１２１】
さらに、前述のTable 4(表6)およびTable 5(表7)は最適化され、これにより、最適化された第2のトランスポートブロックサイズテーブル4-1および5-1を形成することができ、これにより、最適化された第2のトランスポートブロックサイズテーブル内の最大変調符号化方式レベルに含まれるすべてのTBSに対応する符号化速度は、設定された符号化速度に等しく、設定された符号化速度は、たとえば、0.93とすることができる。
【０１２２】
【表８Ａ】
0006052650.tif 000037
【０１２３】
【表８Ｂ】
0006052650.tif 000038
【０１２４】
【表９Ａ】
0006052650.tif 000039
【０１２５】
【表９Ｂ】
0006052650.tif 000040
【０１２６】
適宜、第2のトランスポートブロックサイズテーブル内のいくつかのTBSは、第1のトランスポートブロックサイズテーブル内のTBSにさらに含まれるものとしてよく、第2のトランスポートブロックサイズテーブル内のいくつかのTBSは、設定されたレイヤ2データ・トランスポート・ブロック・サイズ・テーブルに含まれ得る。
【０１２７】
なおもさらに、前述の実施形態に基づき、第2のトランスポートブロックサイズテーブル内のTBSはどれも、ターゲット符号化速度に最も近い符号化速度に対応する、第1のトランスポートブロックサイズテーブルおよび設定されたレイヤ2データ・トランスポート・ブロック・サイズ・テーブル内のTBSであってよい。
【０１２８】
具体的には、TBSが第2のトランスポートブロックサイズテーブル内で決定されたときに、決定されたTBS値は、第1のトランスポートブロックサイズテーブルまたはレイヤ2データ・トランスポート・ブロック・サイズ・テーブル内のTBSであり、REが12あるシステムオーバーヘッドを有するLTE REL.12システムにおける決定されたTBS値に対応する符号化速度は、REが12あるシステムオーバーヘッドを有するLTE REL.12システムにおける第1のトランスポートブロックサイズテーブルまたはレイヤ2データ・トランスポート・ブロック・サイズ・テーブル内の他のTBSに対応する符号化速度よりも、ターゲット符号化速度に近く、ターゲット符号化速度は、変調符号化方式レベルおよびLTE REL.8における物理リソースブロック対の数に対応する符号化速度であるものとしてよい。この実施形態における第2のトランスポートブロックサイズテーブルは、Table 6(表10)に示され得る。
【０１２９】
【表１０Ａ】
0006052650.tif 000041
【０１３０】
【表１０Ｂ】
0006052650.tif 000042
【０１３１】
【表１０Ｃ】
0006052650.tif 000043
【０１３２】
【表１０Ｄ】
0006052650.tif 000044
【０１３３】
【表１０Ｅ】
0006052650.tif 000045
【０１３４】
【表１０Ｆ】
0006052650.tif 000046
【０１３５】
【表１０Ｇ】
0006052650.tif 000047
【０１３６】
【表１０Ｈ】
0006052650.tif 000048
【０１３７】
【表１０Ｉ】
0006052650.tif 000049
【０１３８】
【表１０Ｊ】
0006052650.tif 000050
【０１３９】
Table 6(表10)に含まれるすべてのTBS値について、一部はTable 1(表1)に示されているレイヤ1データ・トランスポート・ブロック・サイズ・テーブルに含まれ、他は、設定されたレイヤ2データ・トランスポート・ブロック・サイズ・テーブルに含まれるものとしてよく、設定されたレイヤ2データ・トランスポート・ブロック・サイズ・テーブルは、Table 7(表11)に示されている。
【０１４０】
【表１１】
0006052650.tif 000051
【０１４１】
代替的に、第2のトランスポートブロックサイズテーブルは、Table 8(表12)にさらに示され得る。TBSがTable 8(表12)に示されている第2のトランスポートブロックサイズテーブル内で決定されたときに、決定されたTBS値は、第1のトランスポートブロックサイズテーブルまたはレイヤ2データ・トランスポート・ブロック・サイズ・テーブル内のTBSであり、REが12あるシステムオーバーヘッドを有するLTE REL.12システムにおける決定されたTBS値に対応する符号化速度は、REが12あるシステムオーバーヘッドを有するLTE REL.12システムにおける第1のトランスポートブロックサイズテーブルまたはレイヤ2データ・トランスポート・ブロック・サイズ・テーブル内の他のTBSに対応する符号化速度よりも、ターゲット符号化速度に近く、ターゲット符号化速度は、Table 3(表5)に示されているLTE REL.8における変調符号化方式レベルに対応する符号化速度の最適化された符号化速度であってよい。
【０１４２】
【表１２Ａ】
0006052650.tif 000052
【０１４３】
【表１２Ｂ】
0006052650.tif 000053
【０１４４】
【表１２Ｃ】
0006052650.tif 000054
【０１４５】
【表１２Ｄ】
0006052650.tif 000055
【０１４６】
【表１２Ｅ】
0006052650.tif 000056
【０１４７】
【表１２Ｆ】
0006052650.tif 000057
【０１４８】
【表１２Ｇ】
0006052650.tif 000058
【０１４９】
【表１２Ｈ】
0006052650.tif 000059
【０１５０】
【表１２Ｉ】
0006052650.tif 000060
【０１５１】
【表１２Ｊ】
0006052650.tif 000061
【０１５２】
Table 8(表12)に含まれるすべてのTBS値について、一部はTable 1(表1)に示されているLTE REL.8におけるレイヤ1データ・トランスポート・ブロック・サイズ・テーブルに含まれ、他は、設定されたレイヤ2データ・トランスポート・ブロック・サイズ・テーブルに含まれるものとしてよい。
【０１５３】
さらに、前述のTable 6(表10)およびTable 8(表12)は最適化され、これにより、最適化された第2のトランスポートブロックサイズテーブル6-1および8-1を形成することができ、これにより、最適化された第2のトランスポートブロックサイズテーブル内の最大変調符号化方式レベルに含まれるすべてのTBSに対応する符号化速度は、設定された符号化速度に等しく、設定された符号化速度は、たとえば、0.93とすることができる。
【０１５４】
【表１３Ａ】
0006052650.tif 000062
【０１５５】
【表１３Ｂ】
0006052650.tif 000063
【０１５６】
【表１４Ａ】
0006052650.tif 000064
【０１５７】
【表１４Ｂ】
0006052650.tif 000065
【０１５８】
適宜、第2のトランスポートブロックサイズテーブル内のすべてのTBSは、新規に設計された要素によって形成され、新規に設計された要素は、Table 1(表1)に示されているLTE REL.8におけるレイヤ1データ・トランスポート・ブロック・サイズ・テーブルに含まれてもよく、また含まれなくてもよく、Table 7(表11)に示されている設定されたレイヤ2データ・トランスポート・ブロック・サイズ・テーブルに含まれてもよく、また含まれなくてもよい。
【０１５９】
なおもさらに、前述の実施形態に基づき、第2のトランスポートブロックサイズテーブル内のTBSはどれも、ターゲット符号化速度に従って設計されたTBSであってよい、すなわち、REが12あるシステムオーバーヘッドを有するLTE REL.12システムにおける決定されたTBSに対応する符号化速度は、ターゲット符号化速度に非常に近く、さらには等しいとしてもよく、ターゲット符号化速度は、変調符号化方式レベルおよびLTE REL.8における物理リソースブロック対の数に対応する符号化速度であるものとしてよい。具体的には、この実施形態における第2のトランスポートブロックサイズテーブルは、Table 9(表15)に示され得る。
【０１６０】
【表１５Ａ】
0006052650.tif 000066
【０１６１】
【表１５Ｂ】
0006052650.tif 000067
【０１６２】
【表１５Ｃ】
0006052650.tif 000068
【０１６３】
【表１５Ｄ】
0006052650.tif 000069
【０１６４】
【表１５Ｅ】
0006052650.tif 000070
【０１６５】
【表１５Ｆ】
0006052650.tif 000071
【０１６６】
【表１５Ｇ】
0006052650.tif 000072
【０１６７】
【表１５Ｈ】
0006052650.tif 000073
【０１６８】
【表１５Ｉ】
0006052650.tif 000074
【０１６９】
【表１５Ｊ】
0006052650.tif 000075
【０１７０】
代替的に、第2のトランスポートブロックサイズテーブルは、Table 10(表16)にさらに示され得る。Table 10(表16)に含まれるすべてのTBSは、新規に設計された要素によって形成され、新規に設計された要素は、Table 1(表1)に示されているLTE REL.8におけるレイヤ1データ・トランスポート・ブロック・サイズ・テーブルに含まれてもよく、また含まれなくてもよく、Table 7(表11)に示されている設定されたレイヤ2データ・トランスポート・ブロック・サイズ・テーブルに含まれてもよく、また含まれなくてもよい。
【０１７１】
なおもさらに、前述の実施形態に基づき、第2のトランスポートブロックサイズテーブル内のTBSはどれも、ターゲット符号化速度に従って設計されたTBSであってよい、すなわち、REが12あるシステムオーバーヘッドを有するLTE REL.12システムにおける決定されたTBSに対応する符号化速度は、ターゲット符号化速度に非常に近く、さらには等しいとしてもよく、ターゲット符号化速度は、Table 3(表5)に示されているLTE REL.8における変調符号化方式レベルに対応する符号化速度の最適化された符号化速度であってよい。
【０１７２】
【表１６Ａ】
0006052650.tif 000076
【０１７３】
【表１６Ｂ】
0006052650.tif 000077
【０１７４】
【表１６Ｃ】
0006052650.tif 000078
【０１７５】
【表１６Ｄ】
0006052650.tif 000079
【０１７６】
【表１６Ｅ】
0006052650.tif 000080
【０１７７】
【表１６Ｆ】
0006052650.tif 000081
【０１７８】
【表１６Ｇ】
0006052650.tif 000082
【０１７９】
【表１６Ｈ】
0006052650.tif 000083
【０１８０】
【表１６Ｉ】
0006052650.tif 000084
【０１８１】
【表１６Ｊ】
0006052650.tif 000085
【０１８２】
【表１６Ｋ】
0006052650.tif 000086
【０１８３】
【表１６Ｌ】
0006052650.tif 000087
【０１８４】
さらに、前述のTable 9(表15)およびTable 10(表16)は最適化され、これにより、最適化された第2のトランスポートブロックサイズテーブル9-1および10-1を形成することができ、これにより、最適化された第2のトランスポートブロックサイズテーブル内の最大変調符号化方式レベルに含まれるすべてのTBSに対応する符号化速度は、設定された符号化速度に等しく、設定された符号化速度は、たとえば、0.93とすることができる。
【０１８５】
【表１７Ａ】
0006052650.tif 000088
【０１８６】
【表１７Ｂ】
0006052650.tif 000089
【０１８７】
【表１８Ａ】
0006052650.tif 000090
【０１８８】
【表１８Ｂ】
0006052650.tif 000091
【０１８９】
図2は、本発明のデータ送信方法の第2の実施形態の流れ図である。図2に示されているように、この実施形態のデータ送信方法は、以下のステップを含む。
【０１９０】
201.ユーザ機器は、基地局からシステムスケジューリング制御信号を受信し、システムスケジューリング制御信号は、変調符号化方式レベルおよび時間周波数リソースを含む。
【０１９１】
202.ユーザ機器は、第1のトランスポートブロックサイズテーブルおよび第2のトランスポートブロックサイズテーブルから1つのトランスポートブロックサイズテーブルを選択し、選択された第1のトランスポートブロックサイズテーブル内の対応するトランスポートブロックサイズTBS、または選択された第2のトランスポートブロックサイズを変調符号化方式レベルおよび物理リソースブロック対の数に従って決定し、第2のトランスポートブロックサイズテーブル内のTBSはどれも、第1のトランスポートブロックサイズテーブル内の対応する位置にあるTBSよりも小さくない。
【０１９２】
ユーザ機器(英語の完全名称:User Equipment、略語:UE)は、第1のトランスポートブロックサイズテーブルおよび第2のトランスポートブロックサイズテーブルから1つのトランスポートブロックサイズテーブルを選択して、トランスポートブロックサイズ(英語の完全名称:Transport block size、略語:TBS)を決定する。具体的には、UEは、受信されたスケジューリング制御信号に含まれる変調符号化方式(英語の完全名称:Modulation and Coding Scheme、略語:MCS)レベルに従って、変調順序指数値およびトランスポートブロックサイズ指数テーブル(英語の完全名称:Modulation and TBS index table for PDSCH)内のMCSレベルに対応するTBS指数値を最初に決定することができ、次に、UEは、TBSを決定するために選択された第1のトランスポートブロックサイズテーブルまたは第2のトランスポートブロックサイズテーブルにおいて、スケジューリング制御信号に含まれる決定されたTBS指数値および時間周波数リソースに対応するTBS値を決定する。
【０１９３】
第2のトランスポートブロックサイズテーブル内のTBS値は、第1のトランスポートブロックサイズテーブル内の同じ位置にあるTBS値と比較され、第2のトランスポートブロックサイズテーブル内のTBS値は、第1のトランスポートブロックサイズテーブル内のTBS値よりも小さくない。
【０１９４】
代替的に、第2のトランスポートブロックサイズテーブル内のTBS値は、第1のトランスポートブロックサイズテーブル内の同じ位置にあるTBS値と比較され、第2のトランスポートブロックサイズテーブル内のTBS値は、第1のトランスポートブロックサイズテーブル内のTBS値よりも小さくてもよい。この場合、第2のトランスポートブロックサイズテーブルは、システムオーバーヘッドがLTE REL.8システムのシステムオーバーヘッドよりも大きいシナリオにおいて適用されるものとしてよく、これにより、UEが第2のトランスポートブロックサイズテーブル内のTBS値に従ってサービスデータを受信するときに、符号化速度は、システムの所望の符号化速度に近い速度まで低減される。
【０１９５】
203.ユーザ機器は、決定されたTBSを使用することによってサービスデータを基地局から受信する。
【０１９６】
UEは、第1のトランスポートブロックサイズテーブルまたは第2のトランスポートブロックサイズテーブルにおいて決定された、システムスケジューリング制御信号に含まれる変調符号化方式レベルおよび時間周波数に対応する、TBSを使用することによってサービスデータを基地局から受信する。
【０１９７】
この実施形態のデータ送信方法において、ユーザ機器は、基地局からシステムスケジューリング制御信号を受信し、システムスケジューリング制御信号は、変調符号化方式レベルおよび時間周波数リソースを含み、ユーザ機器は、第1のトランスポートブロックサイズテーブルおよび第2のトランスポートブロックサイズテーブルから1つのトランスポートブロックサイズテーブルを選択し、選択された第1のトランスポートブロックサイズテーブルまたは選択された第2のトランスポートブロックサイズテーブル内の対応するトランスポートブロックサイズTBSを変調符号化方式レベルおよび物理リソースブロック対の数に従って決定し、第2のトランスポートブロックサイズテーブル内のTBSはどれも、第1のトランスポートブロックサイズテーブル内の対応する位置にあるTBSよりも小さくなく、ユーザ機器は、決定されたTBSを使用することによってサービスデータを基地局から受信する。この方法で、UEは、トランスポートブロックサイズテーブルの選択を実装し、これにより、符号化速度は、UEが選択された第2のトランスポートブロックサイズテーブル内のTBSに従ってサービスデータを受信するときに、増大される。
【０１９８】
適宜、第1のトランスポートブロックサイズテーブル内の最大変調符号化方式レベルに含まれるすべてのTBSに対応する符号化速度は、設定された符号化速度に等しく、および/または第2のトランスポートブロックサイズテーブル内の最大変調符号化方式レベルに含まれるすべてのTBSに対応する符号化速度は、設定された符号化速度に等しい。
【０１９９】
具体的には、第1のトランスポートブロックサイズテーブルは、LTE REL.8におけるレイヤ1データ・トランスポート・ブロック・サイズ・テーブルを含むものとしてよく、LTE REL.8におけるレイヤ1データ・トランスポート・ブロック・サイズ・テーブルは、前述の実施形態におけるTable 1(表1)に示されている。詳細については、ここでさらに説明されない、Table 1(表1)を参照するとよい。
【０２００】
第1のトランスポートブロックサイズテーブルにおいて、NPRBは、物理リソースブロック対の数を表し、ITBSは、TBS指数値を表し、テーブル内の要素は、トランスポートブロックサイズTBSを表す。
【０２０１】
第1のトランスポートブロックサイズテーブル内の最大変調符号化方式レベルに含まれるTBSは、さらに、設定された符号化速度に対応するTBSであってよく、設定された符号化速度に対応するすべてのTBSは、Table 2-1(表2)に示されているように、前述のTable 1(表1)の0から25のITBSに対応するすべてのTBSに含まれ得る。詳細については、ここでさらに説明されない、Table 2-1(表2)を参照するか、または設定された符号化速度に対応するTBSは、Table 2-2(表3)に示されているように、さらに、前述のTable 1(表1)の0から25のITBSに対応するすべてのTBSに含まれ得るか、もしくはレイヤ2データ・トランスポート・ブロック・サイズ・テーブルに含まれ得る。詳細については、ここでさらに説明されない、Table 2-2(表3)を参照するか、または設定された符号化速度に対応するTBSのうちのどれも、さらに、Table 2-2(表3)に示されているように、前述のTable 1(表1)の0から25のITBSに対応するすべてのTBSに含まれ得ることがないか、もしくはレイヤ2データ・トランスポート・ブロック・サイズ・テーブルに含まれ得ることがないか、または設定された符号化速度に対応するTBSのうちのいくつかが、さらに、Table 2-2(表3)に示されているように、前述のTable 1(表1)の0から25のITBSに対応するすべてのTBSに含まれ得るか、もしくはレイヤ2データ・トランスポート・ブロック・サイズ・テーブルに含まれ得る。詳細については、ここでさらに説明されない、Table 2-3(表4)を参照するとよい。
【０２０２】
リソース要素が48あるシステムオーバーヘッドを有するLTE REL.8システムにおいて、前述のTable 2-1(表2)、Table 2-2(表3)、およびTable 2-3(表4)におけるTBSを使用することによってサービスデータに対して符号化を実行するための符号化速度は、有効符号化速度であるものとしてよく、有効符号化速度は、たとえば、0.93とすることができる。
【０２０３】
第2のトランスポートブロックサイズテーブル内の最大変調符号化方式レベルに含まれるTBSは、さらに、設定された符号化速度に対応するTBSであってよく、設定された符号化速度は、たとえば、0.93とすることができ、これにより、リソース要素が12あるシステムオーバーヘッドを有するLTE REL.12システムにおいて、第2のトランスポートブロックサイズテーブル内の最大変調符号化方式レベルに含まれるTBSに対応する符号化速度は、有効符号化速度となる。他の実施形態では、ビット誤り率に対するシステムの要求条件は、変更される場合、または他の場合に、設定された符号化速度は、さらに、本明細書では制限されていない、別の値であってよい。
【０２０４】
さらに、第1のトランスポートブロックサイズテーブルおよび第2のトランスポートブロックサイズテーブルから1つのトランスポートブロックサイズテーブルを、ユーザ機器によって、選択するステップは、システム構成パラメータまたはシステムオーバーヘッドに従って、第1のトランスポートブロックサイズテーブルおよび第2のトランスポートブロックサイズテーブルから1つのトランスポートブロックサイズテーブルを、ユーザ機器によって、選択するステップをさらに含む。
【０２０５】
具体的には、UEが、第1のトランスポートブロックサイズテーブルおよび第2のトランスポートブロックサイズテーブルから1つのトランスポートブロックサイズテーブルを選択した場合、UEは、システム構成パラメータに従って第1のトランスポートブロックサイズテーブルまたは第2のトランスポートブロックサイズテーブルを選択し、第1のトランスポートブロックサイズテーブルまたは第2のトランスポートブロックサイズテーブル内のTBSをさらに選択し、TBSに従ってサービスデータに対して符号化を実行し、符号化されたサービスデータをUEに送信することができる。
【０２０６】
たとえば、システム構成パラメータが、制御シグナリングが物理ダウンリンク制御チャネルを含むことを指示する場合、UEは、第1のトランスポートブロックサイズテーブルを選択し、これにより、UEが第1のトランスポートブロックサイズテーブル内のTBSに従ってサービスデータを受信するときの符号化速度は、所望の符号化速度により近く、所望の符号化速度は、決定された変調符号化方式レベルおよびLTE REL.8における物理リソースブロック対の決定された数に対応する符号化速度であるか、または所望のターゲット符号化速度は、LTE REL.8における決定された変調符号化方式レベルに対応する符号化速度の最適化された符号化速度であってもよく、LTE REL.8における変調符号化方式レベルに対応する符号化速度の最適化された符号化速度は、前述の実施形態におけるTable 3(表5)に示されている。詳細については、ここでさらに説明されない、Table 3(表5)を参照するとよい。
【０２０７】
システム構成パラメータが、制御シグナリングが物理ダウンリンク制御チャネルを含まないことを指示する場合、UEは、第2のトランスポートブロックサイズテーブルを選択し、これにより、UEが第2のトランスポートブロックサイズテーブル内のTBSを使用することによってサービスデータを受信するときに、対応する符号化速度は、所望の符号化速度により近くなる。
【０２０８】
UEは、システムオーバーヘッドに従って第1のトランスポートブロックサイズテーブルまたは第2のトランスポートブロックサイズテーブルをさらに選択することができる。たとえば、システムオーバーヘッドが48個のリソース要素である場合、UEは、第1のトランスポートブロックサイズテーブルを選択し、システムオーバーヘッドが12個のリソース要素である場合、UEは、第2のトランスポートブロックサイズテーブルを選択する。
【０２０９】
適宜、UEは、基地局から上位レイヤシグナリングメッセージを受信し、上位レイヤシグナリングメッセージは、第1のトランスポートブロックサイズテーブルまたは第2のトランスポートブロックサイズテーブルの選択を命令する命令情報を搬送する。
【０２１０】
具体的には、UEは、基地局によって送信される上位レイヤシグナリングメッセージに従ってトランスポートブロックサイズテーブルを選択することができる。たとえば、基地局は、基地局と同じトランスポートブロックサイズテーブルを使用するために第2のトランスポートブロックサイズテーブル内のTBSを使用することによってサービスデータを受信することをUEに命令する。次いで、UEは、第2のトランスポートブロックサイズテーブル内の対応するTBSを選択して、基地局によって送信されるサービスデータを受信する。
【０２１１】
適宜、UEは、基地局からダウンリンク制御メッセージを受信し、ダウンリンク制御メッセージは、第1のトランスポートブロックサイズテーブルまたは第2のトランスポートブロックサイズテーブルの選択を命令する命令情報を搬送し、異なる選択同士の切り替えの際にUEの速度を増大させることができる。
【０２１２】
適宜、第2のトランスポートブロックサイズテーブル内のすべてのTBSは、第1のトランスポートブロックサイズテーブル内のTBSに含まれ得る。具体的には、第2のトランスポートブロックサイズテーブルは、前述の実施形態におけるTable 4(表6)に示され得る。詳細については、ここでさらに説明されない、Table 4(表6)を参照するとよい。
【０２１３】
なおもさらに、前述の実施形態に基づき、第2のトランスポートブロックサイズテーブル内のTBSはどれも、ターゲット符号化速度に最も近い符号化速度に対応する、第1のトランスポートブロックサイズテーブル内のTBSとすることができる。
【０２１４】
具体的には、TBSがTable 4(表6)に示されている第2のトランスポートブロックサイズテーブル内で決定されたときに、決定されたTBS値は、第1のトランスポートブロックサイズテーブル内のTBSであり、REが12あるシステムオーバーヘッドを有するLTE REL.12システムにおける決定されたTBS値に対応する符号化速度は、REが12あるシステムオーバーヘッドを有するLTE REL.12システムにおける第1のトランスポートブロックサイズテーブル内の他のTBSに対応する符号化速度よりも、ターゲット符号化速度に近く、ターゲット符号化速度は、変調符号化方式レベルおよびLTE REL.8における物理リソースブロック対の数に対応する符号化速度であるものとしてよい。
【０２１５】
代替的に、第2のトランスポートブロックサイズテーブルは、前述の実施形態におけるTable 5(表7)にさらに示され得る。詳細については、ここでさらに説明されない、Table 5(表7)を参照するとよい。
【０２１６】
さらに、前述のTable 4(表6)およびTable 5(表7)は最適化され、これにより、最適化された第2のトランスポートブロックサイズテーブル4-1および5-1を形成することができ、これにより、最適化された第2のトランスポートブロックサイズテーブル内の最大変調符号化方式レベルに含まれるすべてのTBSに対応する符号化速度は、設定された符号化速度に等しく、設定された符号化速度は、たとえば、0.93とすることができる。最適化された第2のトランスポートブロックサイズテーブル4-1および5-1は、前述の実施形態におけるTable 4-1(表8)およびTable 5-1(表9)に示され得る。詳細については、ここでさらに説明されない、Table 4-1(表8)およびTable 5-1(表9)を参照するとよい。
【０２１７】
適宜、第2のトランスポートブロックサイズテーブル内のいくつかのTBSは、第1のトランスポートブロックサイズテーブル内のTBSに含まれるものとしてよく、第2のトランスポートブロックサイズテーブル内のいくつかのTBSは、設定されたレイヤ2データ・トランスポート・ブロック・サイズ・テーブルに含まれ得る。具体的には、第2のトランスポートブロックサイズテーブルは、前述の実施形態におけるTable 6(表10)に示され得る。詳細については、ここでさらに説明されない、Table 6(表10)を参照するとよい。
【０２１８】
なおもさらに、前述の実施形態に基づき、第2のトランスポートブロックサイズテーブル内のTBSはどれも、ターゲット符号化速度に最も近い符号化速度に対応する、第1のトランスポートブロックサイズテーブルおよび設定されたレイヤ2データ・トランスポート・ブロック・サイズ・テーブル内のTBSであってよい。
【０２１９】
具体的には、TBSがTable 6(表10)内の第2のトランスポートブロックサイズテーブル内で決定されたときに、決定されたTBS値は、第1のトランスポートブロックサイズテーブルまたはレイヤ2データ・トランスポート・ブロック・サイズ・テーブル内のTBSであり、REが12あるシステムオーバーヘッドを有するLTE REL.12システムにおける決定されたTBS値に対応する符号化速度は、REが12あるシステムオーバーヘッドを有するLTE REL.12システムにおける第1のトランスポートブロックサイズテーブルまたはレイヤ2データ・トランスポート・ブロック・サイズ・テーブル内の他のTBSに対応する符号化速度よりも、ターゲット符号化速度に近く、ターゲット符号化速度は、変調符号化方式レベルおよびLTE REL.8における物理リソースブロック対の数に対応する符号化速度であるものとしてよい。
【０２２０】
代替的に、第2のトランスポートブロックサイズテーブルは、前述の実施形態におけるTable 8(表12)に示され得る。詳細については、ここでさらに説明されない、Table 8(表12)を参照するとよい。
【０２２１】
Table 8(表12)に含まれるすべてのTBS値について、一部はTable 1(表1)に示されているLTE REL.8におけるレイヤ1データ・トランスポート・ブロック・サイズ・テーブルに含まれ、他は、設定されたレイヤ2データ・トランスポート・ブロック・サイズ・テーブルに含まれるものとしてよい。
【０２２２】
TBSがTable 8(表12)の第2のトランスポートブロックサイズテーブル内で決定されたときに、決定されたTBS値は、第1のトランスポートブロックサイズテーブルまたはレイヤ2データ・トランスポート・ブロック・サイズ・テーブル内のTBSであり、REが12あるシステムオーバーヘッドを有するLTE REL.12システムにおける決定されたTBS値に対応する符号化速度は、REが12あるシステムオーバーヘッドを有するLTE REL.12システムにおける第1のトランスポートブロックサイズテーブルまたはレイヤ2データ・トランスポート・ブロック・サイズ・テーブル内の他のTBSに対応する符号化速度よりも、ターゲット符号化速度に近く、ターゲット符号化速度は、Table 3(表5)に示されているLTE REL.8における変調符号化方式レベルに対応する符号化速度の最適化された符号化速度であってよい。
【０２２３】
さらに、前述のTable 6(表10)およびTable 8(表12)は最適化され、これにより、最適化された第2のトランスポートブロックサイズテーブル6-1および8-1を形成することができ、これにより、最適化された第2のトランスポートブロックサイズテーブル内の最大変調符号化方式レベルに含まれるすべてのTBSに対応する符号化速度は、設定された符号化速度に等しく、設定された符号化速度は、たとえば、0.93とすることができる。最適化された第2のトランスポートブロックサイズテーブル6-1および8-1は、前述の実施形態におけるTable 6-1(表13)およびTable 8-1(表14)に示され得る。詳細については、ここでさらに説明されない、Table 6-1(表13)およびTable 8-1(表14)を参照するとよい。
【０２２４】
適宜、第2のトランスポートブロックサイズテーブル内のすべてのTBSは、新規に設計された要素によって形成され、新規に設計された要素は、Table 1(表1)に示されているLTE REL.8におけるレイヤ1データ・トランスポート・ブロック・サイズ・テーブルに含まれてもよく、また含まれなくてもよく、Table 7(表11)に示されている設定されたレイヤ2データ・トランスポート・ブロック・サイズ・テーブルに含まれてもよく、また含まれなくてもよい。具体的には、第2のトランスポートブロックサイズテーブルは、前述の実施形態におけるTable 9(表15)に示され得る。詳細については、ここでさらに説明されない、Table 9(表15)を参照するとよい。
【０２２５】
なおもさらに、前述の実施形態に基づき、第2のトランスポートブロックサイズテーブル内のTBSはどれも、ターゲット符号化速度に従って設計されたTBSであってよい。REが12あるシステムオーバーヘッドを有するLTE REL.12システムにおける第2のトランスポートブロックサイズテーブル内のTBSに対応する符号化速度は、ターゲット符号化速度であってよく、ターゲット符号化速度は、変調符号化方式レベルおよびLTE REL.8における物理リソースブロック対の数に対応する符号化速度であるものとしてよい。
【０２２６】
代替的に、第2のトランスポートブロックサイズテーブルは、Table 10(表16)に示され得る。Table 10(表16)に含まれるすべてのTBSは、新規に設計された要素によって形成され、新規に設計された要素は、Table 1(表1)に示されているLTE REL.8におけるレイヤ1データ・トランスポート・ブロック・サイズ・テーブルに含まれてもよく、また含まれなくてもよく、Table 7(表11)に示されている設定されたレイヤ2データ・トランスポート・ブロック・サイズ・テーブルに含まれてもよく、また含まれなくてもよい。
【０２２７】
なおもさらに、前述の実施形態に基づき、第2のトランスポートブロックサイズテーブル内のTBSはどれも、ターゲット符号化速度に従って設計されたTBSであってよい。REが12あるシステムオーバーヘッドを有するLTE REL.12システムにおける第2のトランスポートブロックサイズテーブル内のTBSに対応する符号化速度は、ターゲット符号化速度であり、ターゲット符号化速度は、Table 3(表5)に示されているLTE REL.8における変調符号化方式レベルに対応する符号化速度の最適化された符号化速度であってよい。
【０２２８】
さらに、前述のTable 9(表15)およびTable 10(表16)は最適化され、これにより、最適化された第2のトランスポートブロックサイズテーブル9-1および10-1を形成することができ、これにより、最適化された第2のトランスポートブロックサイズテーブル内の最大変調符号化方式レベルに含まれるすべてのTBSに対応する符号化速度は、設定された符号化速度に等しく、設定された符号化速度は、たとえば、0.93とすることができる。
【０２２９】
当業者であれば、方法実施形態のステップの全部または一部が関連するハードウェアに命令を送るプログラムによって実装され得ることを理解できる。プログラムは、コンピュータ可読記憶媒体に格納され得る。プログラムが実行されると、方法実施形態のステップが実行される。前記のストレージ媒体は、ROM、RAM、磁気ディスク、または光ディスクなどの、プログラムコードを格納することができる任意の媒体を含む。
【０２３０】
図3は、本発明による基地局の第1の実施形態の概略構造図である。図3に示されているように、この実施形態の基地局300は、プロセッサ301および送信機302を備える。プロセッサ301は、変調符号化方式レベルを決定し、時間周波数リソースを決定し、時間周波数リソースに従って物理リソースブロック対の数を決定するように構成され、また第1のトランスポートブロックサイズテーブルおよび第2のトランスポートブロックサイズテーブルから1つのトランスポートブロックサイズテーブルを選択し、選択された第1のトランスポートブロックサイズテーブル内の対応するトランスポートブロックサイズTBS、または選択された第2のトランスポートブロックサイズを変調符号化方式レベルおよび物理リソースブロック対の数に従って決定するようにさらに構成されるものとしてよく、第2のトランスポートブロックサイズテーブル内のTBSはどれも、第1のトランスポートブロックサイズテーブル内の対応する位置にあるTBSよりも小さくない。送信機302は、決定されたTBSを使用することによってサービスデータをユーザ機器に送信するように構成され、システムスケジューリング制御信号をユーザ機器に送信するようにさらに構成されるものとしてよく、システムスケジューリング制御信号は、変調符号化方式レベルおよび時間周波数リソースを含む。
【０２３１】
この実施形態の基地局は、変調符号化方式レベルを、プロセッサを使用することによって、決定し、時間周波数リソースを決定し、時間周波数リソースに従って物理リソースブロック対の数を決定し、第1のトランスポートブロックサイズテーブルおよび第2のトランスポートブロックサイズテーブルから1つのトランスポートブロックサイズテーブルを選択し、選択された第1のトランスポートブロックサイズテーブルまたは選択された第2のトランスポートブロックサイズテーブル内の対応するトランスポートブロックサイズTBSを変調符号化方式レベルおよび物理リソースブロック対の数に従って決定し、第2のトランスポートブロックサイズテーブル内のTBSはどれも、第1のトランスポートブロックサイズテーブル内の対応する位置にあるTBSよりも小さくなく、送信機は、決定されたTBSを使用することによってサービスデータをUEに送信し、システムスケジューリング制御信号をUEに送信し、システムスケジューリング制御信号は、変調符号化方式レベルおよび時間周波数リソースを含む。この方法で、基地局は、トランスポートブロックサイズテーブルの選択を実装し、したがって、符号化速度は、基地局が選択された第2のトランスポートブロックサイズテーブル内のTBSに従ってサービスデータをUEに送信するときに増大され得る。
【０２３２】
さらに、第1のトランスポートブロックサイズテーブル内の最大変調符号化方式レベルに含まれるすべてのTBSに対応する符号化速度は、設定された符号化速度に等しいものとしてよく、および/または第2のトランスポートブロックサイズテーブル内の最大変調符号化方式レベルに含まれるすべてのTBSに対応する符号化速度は、設定された符号化速度に等しいものとしてよい。
【０２３３】
さらに、プロセッサ301は、システム構成パラメータまたはシステムオーバーヘッドに従って、第1のトランスポートブロックサイズテーブルおよび第2のトランスポートブロックサイズから1つのトランスポートブロックサイズテーブルを選択するようにさらに構成され得る。
【０２３４】
さらに、送信機302は、上位レイヤシグナリングメッセージをユーザ機器に送信するようにさらに構成されるものとしてよく、上位レイヤシグナリングメッセージは、第1のトランスポートブロックサイズテーブルまたは第2のトランスポートブロックサイズテーブルの選択を命令する命令情報を搬送する。
【０２３５】
さらに、送信機302は、ダウンリンク制御メッセージをユーザ機器に送信するようにさらに構成されるものとしてよく、ダウンリンク制御メッセージは、第1のトランスポートブロックサイズテーブルまたは第2のトランスポートブロックサイズテーブルの選択を命令する命令情報を搬送する。
【０２３６】
さらに、第1のトランスポートブロックサイズテーブルは、LTE REL.8システムにおけるレイヤ1データ・トランスポート・ブロック・サイズ・テーブルを含む。
【０２３７】
さらに、第2のトランスポートブロックサイズテーブル内のすべてのTBSは、第1のトランスポートブロックサイズテーブル内のTBSに含まれ得る。
【０２３８】
さらに、第2のトランスポートブロックサイズテーブル内のTBSはどれも、ターゲット符号化速度に最も近い符号化速度に対応する、第1のトランスポートブロックサイズテーブル内のTBSとすることができる。
【０２３９】
さらに、第2のトランスポートブロックサイズテーブル内のいくつかのTBSは、第1のトランスポートブロックサイズテーブル内のTBSに含まれるものとしてよく、第2のトランスポートブロックサイズテーブル内のいくつかのTBSは、設定されたレイヤ2データ・トランスポート・ブロック・サイズ・テーブルに含まれ得る。
【０２４０】
さらに、第2のトランスポートブロックサイズテーブル内のTBSはどれも、ターゲット符号化速度に最も近い符号化速度に対応する、第1のトランスポートブロックサイズテーブルおよび設定されたレイヤ2データ・トランスポート・ブロック・サイズ・テーブル内のTBSであってよい。
【０２４１】
さらに、ターゲット符号化速度は、変調符号化方式レベルおよびLTE REL.8における物理リソースブロック対の数に対応する符号化速度であるか、またはターゲット符号化速度は、LTE REL.8における変調符号化方式レベルおよび物理リソースブロック対の数に対応する符号化速度の最適化された符号化速度である。
【０２４２】
図4は、本発明のユーザ機器の第1の実施形態の概略構造図である。図4に示されているように、この実施形態のユーザ機器400は、受信機401およびプロセッサ402を備える。受信機401は、システムスケジューリング制御信号を基地局から受信するように構成されるものとしてよく、システムスケジューリング制御信号は、変調符号化方式レベルおよび時間周波数リソースを含む。プロセッサ402は、第1のトランスポートブロックサイズテーブルおよび第2のトランスポートブロックサイズテーブルから1つのトランスポートブロックサイズテーブルを選択し、選択された第1のトランスポートブロックサイズテーブルまたは選択された第2のトランスポートブロックサイズテーブル内の対応するトランスポートブロックサイズTBSを変調符号化方式レベルおよび物理リソースブロック対の数に従って決定するように構成されるものとしてよく、第2のトランスポートブロックサイズテーブル内のTBSはどれも、第1のトランスポートブロックサイズテーブル内の対応する位置にあるTBSよりも小さくない。受信機401は、決定されたTBSを使用することによってサービスデータを基地局から受信するようにさらに構成され得る。
【０２４３】
この実施形態のユーザ機器は、基地局からシステムスケジューリング制御信号を、受信機を使用することによって、受信し、システムスケジューリング制御信号は、変調符号化方式レベルおよび時間周波数リソースを含み、決定されたTBSを使用することによって基地局からサービスデータを受信し、プロセッサは、第1のトランスポートブロックサイズテーブルおよび第2のトランスポートブロックサイズテーブルから1つのトランスポートブロックサイズテーブルを選択し、選択された第1のトランスポートブロックサイズテーブルまたは選択された第2のトランスポートブロックサイズテーブル内の対応するトランスポートブロックサイズTBSを変調符号化方式レベルおよび物理リソースブロック対の数に従って決定し、第2のトランスポートブロックサイズテーブル内のTBSはどれも、第1のトランスポートブロックサイズテーブル内の対応する位置にあるTBSよりも小さくない。この方法で、UEは、トランスポートブロックサイズテーブルの選択を実装し、これにより、符号化速度は、UEが選択された第2のトランスポートブロックサイズテーブル内のTBSに従ってサービスデータを受信するときに、改善される。
【０２４４】
さらに、第1のトランスポートブロックサイズテーブル内の最大変調符号化方式レベルに含まれるすべてのTBSに対応する符号化速度は、設定された符号化速度に等しいものとしてよく、および/または第2のトランスポートブロックサイズテーブル内の最大変調符号化方式レベルに含まれるすべてのTBSに対応する符号化速度は、設定された符号化速度に等しいものとしてよい。
【０２４５】
さらに、プロセッサ402は、システム構成パラメータまたはシステムオーバーヘッドに従って、第1のトランスポートブロックサイズテーブルおよび第2のトランスポートブロックサイズから1つのトランスポートブロックサイズテーブルを選択するようにさらに構成され得る。
【０２４６】
さらに、受信機401は、一方のトランスポートブロックサイズテーブルが、第1のトランスポートブロックサイズテーブルおよび第2のトランスポートブロックサイズテーブルから選択される前に、上位レイヤシグナリングメッセージを基地局から受信するようにさらに構成されるものとしてよく、上位レイヤシグナリングメッセージは、第1のトランスポートブロックサイズテーブルまたは第2のトランスポートブロックサイズテーブルの選択を命令する命令情報を搬送する。
【０２４７】
さらに、受信機401は、一方のトランスポートブロックサイズテーブルが、第1のトランスポートブロックサイズテーブルおよび第2のトランスポートブロックサイズテーブルから選択される前に、ダウンリンク制御メッセージを基地局から受信するようにさらに構成されるものとしてよく、ダウンリンク制御メッセージは、第1のトランスポートブロックサイズテーブルまたは第2のトランスポートブロックサイズテーブルの選択を命令する命令情報を搬送する。
【０２４８】
さらに、第1のトランスポートブロックサイズテーブルは、LTE REL.8システムにおけるレイヤ1データ・トランスポート・ブロック・サイズ・テーブルを含み得る。
【０２４９】
さらに、第2のトランスポートブロックサイズテーブル内のすべてのTBSは、第1のトランスポートブロックサイズテーブル内のTBSに含まれ得る。
【０２５０】
さらに、第2のトランスポートブロックサイズテーブル内のTBSはどれも、ターゲット符号化速度に最も近い符号化速度に対応する、第1のトランスポートブロックサイズテーブル内のTBSとすることができる。
【０２５１】
さらに、第2のトランスポートブロックサイズテーブル内のいくつかのTBSは、第1のトランスポートブロックサイズテーブル内のTBSに含まれるものとしてよく、第2のトランスポートブロックサイズテーブル内のいくつかのTBSは、設定されたレイヤ2データ・トランスポート・ブロック・サイズ・テーブルに含まれ得る。
【０２５２】
さらに、第2のトランスポートブロックサイズテーブル内のTBSはどれも、ターゲット符号化速度に最も近い符号化速度に対応する、第1のトランスポートブロックサイズテーブルおよび設定されたレイヤ2データ・トランスポート・ブロック・サイズ・テーブル内のTBSであってよい。
【０２５３】
さらに、ターゲット符号化速度は、変調符号化方式レベルおよびLTE REL.8における物理リソースブロック対の数に対応する符号化速度であるか、またはターゲット符号化速度は、LTE REL.8における変調符号化方式レベルおよび物理リソースブロック対の数に対応する符号化速度の最適化された符号化速度であってよい。
【０２５４】
最後に、前記の実施形態は、本発明を制限するのではなく本発明の技術的解決策を説明することを意図しているだけであることに留意されたい。本発明は、前記の実施形態を参照しつつ詳しく説明されているが、当業者であれば、本発明の実施形態の技術的解決策の範囲から逸脱することなく、前記の実施形態において説明されている技術的解決策に修正を加えるか、またはその一部または全部の技術的特徴に対する同等の置き換えを行うことがそのまま可能であることを理解するであろう。
【符号の説明】
【０２５５】
300  基地局
301  プロセッサ
302  送信機
400  ユーザ機器
401  受信機
402  プロセッサ
【図１】
0006052650.tif 000092
【図２】
0006052650.tif 000093
【図３】
0006052650.tif 000094
【図４】
0006052650.tif 000095